(57)【要約】【課題】本開示の技術は、色見本表に対する測色の誤りを回避することができる画像処理装置及びプログラムを提供する。【解決手段】画像処理装置は、複数の色見本が行列状に配置され、前記複数の色見本に含まれる予め定められた一対の色見本の各々が予め定められた異なる隅に配置された色見本表に含まれる前記複数の色見本を前記色見本表の一辺に沿う一方向に走査することで前記複数の色見本の各々を測色する測色器が出力する測色結果を示す測色情報を受け付ける受付部と、前記色見本表内での前記一対の色見本の対応関係を示す対応関係情報と前記色見本表の属性とが対応付けられた対応付け情報と、前記色見本表において前記一対の色見本の各々について前記受付部によって受け付けられた前記測色情報とを用いて、前記測色器による測色対象とされた前記色見本表の前記属性を判定する判定部と、を含む。【選択図】図１４
2020156030.tif 000002
【特許請求の範囲】
【請求項１】
複数の色見本が行列状に配置され、前記複数の色見本に含まれる予め定められた一対の色見本の各々が予め定められた異なる隅に配置された色見本表に含まれる前記複数の色見本を前記色見本表の一辺に沿う一方向に走査することで前記複数の色見本の各々を測色する測色器が出力する測色結果を示す測色情報を受け付ける受付部と、
前記色見本表内での前記一対の色見本の対応関係を示す対応関係情報と前記色見本表の属性とが対応付けられた対応付け情報と、前記色見本表において前記一対の色見本の各々について前記受付部によって受け付けられた前記測色情報とを用いて、前記測色器による測色対象とされた前記色見本表の前記属性を判定する判定部と、
を含む画像処理装置。
【請求項２】
前記対応関係情報は、前記複数の色見本のうちの前記一対の色見本の各々が前記測色器によって測色される順番として予め定められた順番を示す順番情報を含み、
前記属性は、前記測色器によって測色される走査方向に対する前記色見本表の向きを含み、
前記判定部は、前記複数の色見本のうちの前記一対の色見本の各々が前記測色器によって測色された順番に対応する前記向きを判定する請求項１に記載の画像処理装置。
【請求項３】
前記向きは、前記色見本表の四辺に各々沿う４方向のうちの何れかであり、
前記予め定められた順番は、前記４方向のうちの何れかを特定可能な順番である請求項２に記載の画像処理装置。
【請求項４】
前記属性は、前記測色器によって測色される前記走査方向と交わる方向を含み、
前記判定部は、前記複数の色見本のうちの前記一対の色見本の各々が前記測色器によって測色された順番に対応する前記走査方向と交わる方向を判定する請求項２又は請求項３に記載の画像処理装置。
【請求項５】
前記対応関係情報は、前記複数の色見本のうちの前記一対の色見本の各々が前記測色器によって測色される順番として予め定められた順番を示し、かつ、前記複数の色見本のうちの前記一対の色見本の組み合わせとして予め定められた組み合わせを示す順番組み合わせ情報を含み、
前記属性は、前記色見本表の種類を含み、
前記判定部は、前記複数の色見本のうちの前記一対の色見本の各々が前記測色器によって測色された順番、及び前記測色器によって測色された前記一対の色見本の組み合わせに対応する前記種類を判定する請求項１に記載の画像処理装置。
【請求項６】
前記属性は、前記測色器によって測色される走査方向に対する前記色見本表の向きを含み、
前記判定部は、前記複数の色見本のうちの前記一対の色見本の各々が前記測色器によって測色された順番に対応する前記向きを判定する請求項５に記載の画像処理装置。
【請求項７】
前記向きは、前記色見本表の四辺に各々沿う４方向のうちの何れかであり、
前記予め定められた順番は、前記４方向のうちの何れかを特定可能な順番である請求項６に記載の画像処理装置。
【請求項８】
前記属性は、前記測色器によって測色される走査方向と交わる方向を含み、
前記判定部は、前記複数の色見本のうちの前記一対の色見本の各々が前記測色器によって測色された順番に対応する前記走査方向と交わる方向を判定する請求項６又は請求項７に記載の画像処理装置。
【請求項９】
前記判定部での判定結果に基づいて、前記受付部によって受け付けられた前記測色情報と前記複数の色見本の各々を特定する特定情報とが対応付けられることで色変換プロファイルが作成される請求項５から請求項８の何れか一項に記載の画像処理装置。
【請求項１０】
前記種類は、複数存在しており、
前記判定部によって判定された前記属性が、予め定められた複数種類のうちの何れかの前記色見本表の属性の場合に、前記受付部によって受け付けられた前記測色情報が受付順で記憶部に記憶される請求項５から請求項８の何れか一項に記載の画像処理装置。
【請求項１１】
前記複数種類についての前記測色情報が前記記憶部に記憶されている場合に、前記複数種類の前記色見本表の各々について指定された順序及び指定された向きに合わせて前記測色情報で出力される請求項１０に記載の画像処理装置。
【請求項１２】
前記複数種類の前記色見本表の各々について、前記指定された順序及び前記指定された向きで出力された前記測色情報と前記複数の色見本の各々を特定する特定情報とが対応付けられることで色変換プロファイルが作成される請求項１１に記載の画像処理装置。
【請求項１３】
前記判定部での判定結果に従って前記測色器による測色の誤りを報知する報知部を更に含む請求項１０から請求項１２の何れか１項に記載の画像処理装置。
【請求項１４】
前記一対の色見本は、前記色見本表の２隅に配置された請求項１から請求項１３の何れか１項に記載の画像処理装置。
【請求項１５】
前記２隅は、前記色見本表の４隅のうちの隣り合う２隅である請求項１４に記載の画像処理装置。
【請求項１６】
前記一対の色見本の各色は、光の原色から選択された２色又は色の原色から選択された２色である請求項１から請求項１５の何れか１項に記載の画像処理装置。
【請求項１７】
コンピュータを、
請求項１から請求項１６の何れか１項に記載の画像処理装置に含まれる前記受付部及び前記判定部として機能させるためのプログラム。
【発明の詳細な説明】
【技術分野】
【０００１】
本開示の技術は、画像処理装置及びプログラムに関する。
【背景技術】
【０００２】
特許文献１には、印刷の条件を取得する条件取得手段と、取得された前記条件に応じてパッチの配置を決定したカラーチャートを印刷するように印刷装置を制御する制御手段と、印刷された前記カラーチャートの測色値を取得する測色値取得手段と、取得された前記測色値と、当該測色値に基づいて特定された前記条件に対応する基準値とに基づいて、前記印刷装置による印刷処理に補正を施す補正手段と、を備える制御装置が開示されている。
【０００３】
特許文献２には、複数のカラーパッチによって構成されたカラーチャートの測色値を測色器より取得する情報処理装置であって、前記カラーチャートの測色単位となるカラーパッチ群の位置を特定するために設けられ、基準カラーパッチ部を構成する複数のカラーパッチのそれぞれの測色値を順次取得する第１の取得手段と、前記カラーチャートの測色単位であるカラーパッチ群の測色値を取得する第２の取得手段と、前記第２の取得手段で測色値を取得したカラーパッチ群のうちの所定位置に存在する第１のカラーパッチの測色値に対応する測色値をもつ、前記第１の取得手段で取得した前記基準カラーパッチ部のカラーパッチを特定する特定手段と、前記特定手段で特定された前記基準カラーパッチ部のカラーパッチに従って、前記第２の取得手段で測色値を取得したカラーパッチ群の前記カラーチャートにおける位置を決定する決定手段と、前記決定手段で決定した位置として、前記第２の取得手段で取得した前記カラーパッチ群の測色値を記憶する測色値記憶手段と、を有することを特徴とする情報処理装置が開示されている。
【先行技術文献】
【特許文献】
【０００４】
【特許文献１】特開２０１６−１５８１３６号公報
【特許文献２】特開２００８−１８２６９１号公報
【発明の概要】
【発明が解決しようとする課題】
【０００５】
本開示の技術は、色見本表に対する測色の誤りを回避することができる画像処理装置及びプログラムを提供する。
【課題を解決するための手段】
【０００６】
本開示の技術の第１の態様は、複数の色見本が行列状に配置され、前記複数の色見本に含まれる予め定められた一対の色見本の各々が予め定められた異なる隅に配置された色見本表に含まれる前記複数の色見本を前記色見本表の一辺に沿う一方向に走査することで前記複数の色見本の各々を測色する測色器が出力する測色結果を示す測色情報を受け付ける受付部と、前記色見本表内での前記一対の色見本の対応関係を示す対応関係情報と前記色見本表の属性とが対応付けられた対応付け情報と、前記色見本表において前記一対の色見本の各々について前記受付部によって受け付けられた前記測色情報とを用いて、前記測色器による測色対象とされた前記色見本表の前記属性を判定する判定部と、を含む画像処理装置である。
【０００７】
本開示の技術の第２の態様は、前記対応関係情報は、前記複数の色見本のうちの前記一対の色見本の各々が前記測色器によって測色される順番として予め定められた順番を示す順番情報を含み、前記属性は、前記測色器によって測色される走査方向に対する前記色見本表の向きを含み、前記判定部は、前記複数の色見本のうちの前記一対の色見本の各々が前記測色器によって測色された順番に対応する前記向きを判定する第１の態様に係る画像処理装置である。
【０００８】
本開示の技術の第３の態様は、前記向きは、前記色見本表の四辺に各々沿う４方向のうちの何れかであり、前記予め定められた順番は、前記４方向のうちの何れかを特定可能な順番である第２の態様に係る画像処理装置である。
【０００９】
本開示の技術の第４の態様は、前記属性は、前記測色器によって測色される前記走査方向と交わる方向を含み、前記判定部は、前記複数の色見本のうちの前記一対の色見本の各々が前記測色器によって測色された順番に対応する前記走査方向と交わる方向を判定する第２の態様又は第３の態様に係る画像処理装置である。
【００１０】
本開示の技術の第５の態様は、前記対応関係情報は、前記複数の色見本のうちの前記一対の色見本の各々が前記測色器によって測色される順番として予め定められた順番を示し、かつ、前記複数の色見本のうちの前記一対の色見本の組み合わせとして予め定められた組み合わせを示す順番組み合わせ情報を含み、前記属性は、前記色見本表の種類を含み、前記判定部は、前記複数の色見本のうちの前記一対の色見本の各々が前記測色器によって測色された順番、及び前記測色器によって測色された前記一対の色見本の組み合わせに対応する前記種類を判定する第１の態様に係る画像処理装置である。
【００１１】
本開示の技術の第６の態様は、前記属性は、前記測色器によって測色される走査方向に対する前記色見本表の向きを含み、前記判定部は、前記複数の色見本のうちの前記一対の色見本の各々が前記測色器によって測色された順番に対応する前記向きを判定する第５の態様に係る画像処理装置である。
【００１２】
本開示の技術の第７の態様は、前記向きは、前記色見本表の四辺に各々沿う４方向のうちの何れかであり、前記予め定められた順番は、前記４方向のうちの何れかを特定可能な順番である第６の態様に係る画像処理装置である。
【００１３】
本開示の技術の第８の態様は、前記属性は、前記測色器によって測色される走査方向を含み、前記判定部は、前記複数の色見本のうちの前記一対の色見本の各々が前記測色器によって測色された順番に対応する前記走査方向と交わる方向を判定する第６の態様又は第７の態様に係る画像処理装置である。
【００１４】
本開示の技術の第９の態様は、前記判定部での判定結果に基づいて、前記受付部によって受け付けられた前記測色情報と前記複数の色見本の各々を特定する特定情報とが対応付けられることで色変換プロファイルが作成される第５の態様から第８の態様の何れか１つの態様に係る画像処理装置である。
【００１５】
本開示の技術の第１０の態様は、前記種類は、複数存在しており、前記判定部によって判定された前記属性が、予め定められた複数種類のうちの何れかの前記色見本表の属性の場合に、前記受付部によって受け付けられた前記測色情報が受付順で記憶部に記憶される第５の態様から第８の態様の何れか１つの態様に係る画像処理装置である。
【００１６】
本開示の技術の第１１の態様は、前記複数種類についての前記測色情報が前記記憶部に記憶されている場合に、前記複数種類の前記色見本表の各々について指定された順序及び指定された向きに合わせて前記測色情報で出力される第１０の態様に係る画像処理装置である。
【００１７】
本開示の技術の第１２の態様は、前記複数種類の前記色見本表の各々について、前記指定された順序及び前記指定された向きで出力された前記測色情報と前記複数の色見本の各々を特定する特定情報とが対応付けられることで色変換プロファイルが作成される第１１の態様に係る画像処理装置である。
【００１８】
本開示の技術の第１３の態様は、前記判定部での判定結果に従って前記測色器による測色の誤りを報知する報知部を更に含む第１０の態様から第１２の態様の何れか１つの態様に係る画像処理装置である。
【００１９】
本開示の技術の第１４の態様は、前記一対の色見本は、前記色見本表の２隅に配置された第１の態様から第１３の態様の何れか１つの態様に係る画像処理装置である。
【００２０】
本開示の技術の第１５の態様は、前記２隅は、前記色見本表の４隅のうちの隣り合う２隅である第１４の態様に係る画像処理装置である。
【００２１】
本開示の技術の第１６の態様は、前記一対の色見本の各色は、光の原色から選択された２色又は色の原色から選択された２色である第１の態様から第１５の態様の何れか１つの態様に係る画像処理装置である。
【００２２】
本開示の技術の第１７の態様は、コンピュータを、第１の態様から第１６の態様の何れか１つの態様に係る画像処理装置に含まれる前記受付部及び前記判定部として機能させるためのプログラムである。
【発明の効果】
【００２３】
第１の態様及び第１７の態様によれば、色見本表に対する測色の誤りを回避することができる、という効果が得られる。
【００２４】
第２の態様及び第６の態様によれば、測色器による走査方向に対する色見本表の向きの誤りを回避することができる、という効果が得られる。
【００２５】
第３の態様及び第７の態様によれば、測色器による走査方向に対する色見本表の向きが色見本表の四辺に各々沿う４方向のうちの何れの方向かを判定することができる、という効果が得られる。
【００２６】
第４の態様及び第８の態様によれば、測色器の副走査方向が不明であるために色見本表に対する測色の誤りが生じることを回避することができる、という効果が得られる。
【００２７】
第５の態様によれば、色見本表の種類が不明であるために同一の色見本表に対する重複した測色を回避することができる、という効果が得られる。
【００２８】
第９の態様によれば、色見本表に対する測色の誤りを回避して得られた測色情報から色変換プロファイルを作成することができる、という効果が得られる。
【００２９】
第１０の態様によれば、記憶部に記憶された測色情報を用いて色見本表の属性を特定することができる、という効果が得られる。
【００３０】
第１１の態様によれば、複数種類の色見本表に対応する測色情報が出力される場合に、出力される測色情報に対応する色見本表の向き及び順序が不明になるという事態の発生を回避することができる、という効果が得られる。
【００３１】
第１２の態様によれば、複数種類の色見本表に対する測色の誤りを回避して得られた測色情報から、複数種類の色見本表の各々について色変換プロファイルを作成することができる、という効果が得られる。
【００３２】
第１３の態様によれば、色見本表に対する測色の誤りをユーザに知覚させることができる、という効果が得られる。
【００３３】
第１４の態様によれば、一対の色見本が色見本表の１隅に隣り合った状態で配置される場合に比べ、色見本表の属性を高精度に判定することができる、という効果が得られる。
【００３４】
第１５の態様によれば、隣り合わない２隅に一対の色見本が配置される場合に比べ、色見本の属性の判定結果を早く得ることができる、という効果が得られる。
【００３５】
第１６の態様によれば、一対の色見本の色として光の原色又は色の原色以外の色を採用する場合に比べ、色見本表の属性の誤判定を抑制することができる、という効果が得られる。
【図面の簡単な説明】
【００３６】
【図１】実施形態に係る画像処理システムの外観の一例を示す概略斜視図である。
【図２】実施形態に係る画像処理システムの電気系のハードウェア構成の一例を示すブロック図である。
【図３】実施形態に係る測色器による測色対象とされる第１〜第６の色見本表の一例を示す概念図である。
【図４】実施形態に係る測色器による測色を、測色器を下方向にずらしながら行う態様の一例を示す概念図である。
【図５】実施形態に係る測色器による測色を、測色器を上方向にずらしながら行う態様の一例を示す概念図である。
【図６】実施形態に係る測色器による測色対象とされる第１の色見本表の向きの４パターンの一例を示す概念図である。
【図７】実施形態に係る画像処理装置の機能の一例を示すブロック図である。
【図８】実施形態に係る測色器による測色対象とされる第１の色見本表が第１の向きの場合の測色情報の受付順の一例を示す概念図である。
【図９】実施形態に係る測色器による測色対象とされる第１の色見本表が第２の向きの場合の測色情報の受付順の一例を示す概念図である。
【図１０】実施形態に係る測色器による測色対象とされる第１の色見本表が第３の向きの場合の測色情報の受付順の一例を示す概念図である。
【図１１】実施形態に係る測色器による測色対象とされる第１の色見本表が第４の向きの場合の測色情報の受付順の一例を示す概念図である。
【図１２】実施形態に係る画像処理装置で用いられる対応付け情報の構成の一例を示す概念図である。
【図１３】実施形態に係る画像処理装置で用いられる色見本表データの構成の一例を示す概念図である。
【図１４】実施形態に係る画像処理装置に含まれる判定部での処理内容の一例を示すブロック図である。
【図１５】実施形態に係る画像処理装置に含まれる変更部での処理内容の一例を示すブロック図である。
【図１６】実施形態に係る画像処理装置に含まれる作成部での処理内容の一例を示すブロック図である。
【図１７】実施形態に係る画像処理装置に含まれる作成部によって作成される色変換プロファイルの作成方法の説明に供する概念図である。
【図１８Ａ】実施形態に係る色変換プロファイル作成処理の流れの一例を示すフローチャートである。
【図１８Ｂ】図１８Ａに示すフローチャートの続きである。
【図１９】実施形態に係る色変換プロファイル作成プログラムが記憶された記憶媒体から、色変換プロファイル作成プログラムが画像処理装置内のコンピュータにインストールされる態様の一例を示す概念図である。
【発明を実施するための形態】
【００３７】
以下、添付図面に従って本開示の技術に係る画像処理装置及びプログラムの実施形態の一例について説明する。
【００３８】
先ず、以下の説明で使用される用語の意味について説明する。
【００３９】
ＣＰＵとは、“Ｃｅｎｔｒａｌ  Ｐｒｏｃｅｓｓｉｎｇ  Ｕｎｉｔ”の略称を指す。ＲＡＭとは、“Ｒａｎｄｏｍ  Ａｃｃｅｓｓ  Ｍｅｍｏｒｙ”の略称を指す。ＲＯＭとは、“Ｒｅａｄ  Ｏｎｌｙ  Ｍｅｍｏｒｙ”の略称を指す。ＧＰＵとは、“Ｇｒａｐｈｉｃ  Ｐｒｏｃｅｓｓｉｎｇ  Ｕｎｉｔ”の略称を指す。Ｉ／Ｆとは、“Ｉｎｔｅｒｆａｃｅ”の略称を指す。Ｉ／Ｏとは、“Ｉｎｐｕｔ  Ｏｕｔｐｕｔ  Ｉｎｔｅｒｆａｃｅ”の略称を指す。
【００４０】
ＳＳＤとは、“Ｓｏｌｉｄ  Ｓｔａｔｅ  Ｄｒｉｖｅ”の略称を指す。ＵＳＢとは、“Ｕｎｉｖｅｒｓａｌ  Ｓｅｒｉａｌ  Ｂｕｓ”の略称を指す。ＨＤＤとは、“Ｈａｒｄ  Ｄｉｓｋ  Ｄｒｉｖｅ”の略称を指す。ＥＥＰＲＯＭとは、“Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ”の略称を指す。ＣＤとは、“Ｃｏｍｐａｃｔ  Ｄｉｓｋ”の略称を指す。ＤＶＤとは、“Ｖｉｇｉｔａｌ  Ｖｅｒｓａｔａｉｌｅ  Ｄｉｓｃ”の略称を指す。ＣＣＤとは、“Ｃｈａｒｇｅ  Ｃｏｕｐｌｅｄ  Ｄｅｖｉｃｅ”の略称を指す。ＣＭＯＳとは、“Ｃｏｍｐｌｅｍｅｎｔａｒｙ  Ｍｅｔａｌ  Ｏｘｉｄｅ  Ｓｅｍｉｃｏｎｄｕｃｔｏｒ”の略称を指す。また、ＥＬとは、“Ｅｌｅｃｔｒｏ−Ｌｕｍｉｎｅｓｃｅｎｃｅ”の略称を指す。
【００４１】
ＡＳＩＣとは、“Ａｐｐｌｉｃａｔｉｏｎ  Ｓｐｅｃｉｆｉｃ  Ｉｎｔｅｇｒａｔｅｄ  Ｃｉｒｃｕｉｔ”の略称を指す。また、以下の説明において、ＰＬＤとは、“Ｐｒｏｇｒａｍｍａｂｌｅ  Ｌｏｇｉｃ  Ｄｅｖｉｃｅ”の略称を指す。また、以下の説明において、ＦＰＧＡとは、“Ｆｉｅｌｄ−Ｐｒｏｇｒａｍｍａｂｌｅ  Ｇａｔｅ  Ａｒｒａｙ”の略称を指す。ＳｏＣとは、“Ｓｙｓｔｅｍ−ｏｎ−ａ−ｃｈｉｐ”の略称を指す。
【００４２】
一例として図１に示すように、画像処理システム１０は、画像処理装置１２及び測色器１４を備えている。画像処理装置１２及び測色器１４は、通信ライン２６を介して通信可能に接続されている。なお、本実施形態では、有線形式で画像処理装置１２と測色器１４とが接続されているが、これはあくまでも一例に過ぎず、画像処理装置１２と測色器１４とが無線形式で通信可能に接続されていてもよい。
【００４３】
測色器１４は、色見本表Ｐに含まれる複数色の色見本を測色する。ここで言う「複数色」とは、例えば、Ｙ（Ｙｅｌｌｏｗ）色、Ｍ（Ｍａｇｅｎｔａ）色、Ｃ（Ｃｙａｎ）色、及びＫ（Ｂｌａｃｋ）色、すなわち、色の原色を指す。
【００４４】
色見本表Ｐは、いわゆる色チャートであり、色見本は、いわゆるパッチである。色見本表Ｐは、複数の区分領域Ｒを有する。複数の区分領域Ｒは、四角形状の用紙の表面が行列状に区分されることで得られる。各区分領域には、固有の色見本が形成される。つまり、色見本表には、複数の色見本が行列状に配置されている。色見本表Ｐ内において、同一色の色見本の各々は互いに階調値が異なっている。階調値は、色見本に用いられるＹ色、Ｍ色、Ｃ色、及びＫ色の面積率であり、０％から１００％までの数値で表される。
【００４５】
測色器１４は、ハンディタイプの測色器である。測色器１４は、測色実行スイッチ１４Ａ１を備えている。測色実行スイッチ１４Ａ１は、モーメンタリ方式のスイッチであり、オンされている間、測色を行う。測色結果は、通信ライン２６を介して画像処理装置１２に送信される。
【００４６】
画像処理装置１２は、通信ライン２６を介して測色器１４から送信された測色結果を受信し、受信した測色結果に基づいて各種処理を実行する。
【００４７】
一例として図２に示すように、画像処理装置１２は、コンピュータ３０、ＵＩ系デバイス３６、記憶装置３８、通信Ｉ／Ｆ４０、外部Ｉ／Ｆ４２、及びＩ／Ｏ４４を備えている。
【００４８】
コンピュータ３０は、本開示の技術に係る「コンピュータ」の一例である。コンピュータ３０は、ＣＰＵ３０Ａ、ＲＯＭ３０Ｂ、及びＲＡＭ３０Ｃを備えている。ＣＰＵ３０Ａ、ＲＯＭ３０Ｂ、及びＲＡＭ３０Ｃは、バスライン７８を介して相互に接続されている。
【００４９】
ＲＯＭ３０Ｂには、各種プログラムが記憶されている。ＣＰＵ３０Ａは、ＲＯＭ３０Ｂから各種プログラムを読み出し、読み出した各種プログラムをＲＡＭ３０Ｃに展開する。ＣＰＵ３０Ａは、ＲＡＭ３０Ｃに展開した各種プログラムに従って画像処理装置１２の全体を制御する。
【００５０】
Ｉ／Ｏ４４は、入出力ポート（図示省略）を備えており、入出力ポートを介してＵＩ系デバイス３６、記憶装置３８、通信Ｉ／Ｆ４０、及び外部Ｉ／Ｆ４２がＩ／Ｏ４４に接続されている。Ｉ／Ｏ４４は、バスライン７８に接続されており、ＣＰＵ３０Ａは、Ｉ／Ｏ４４を介してＵＩ系デバイス３６、記憶装置３８、通信Ｉ／Ｆ４０、及び外部Ｉ／Ｆ４２の各々と各種情報の授受を行う。
【００５１】
ＵＩ系デバイス３６は、ディスプレイ３６Ａ及び受付デバイス３６Ｂを備えている。ディスプレイ３６Ａは、ＣＰＵ３０Ａの制御下で、画像等を表示する。ディスプレイ３６Ａの一例としては、液晶ディスプレイが挙げられる。ディスプレイは、液晶ディスプレイではなく、有機ＥＬディスプレイ等の他のディスプレイであってもよい。受付デバイス３６Ｂは、タッチパネル、キーボード、及びマウス等を備えており、ユーザから各種指示を受け付け、ＣＰＵ３０Ａは、受付デバイス３６Ｂによって受け付けられた各種指示に従って動作する。
【００５２】
記憶装置３８は、ＳＳＤ、ＨＤＤ、又はＥＥＰＲＯＭなどの不揮発性のメモリであり、記憶装置３８に対してはＣＰＵ３０Ａによって各種情報が読み書きされる。なお、記憶装置３８は、本開示の技術に係る「記憶部」の一例である。
【００５３】
通信Ｉ／Ｆ４０は、ＦＰＧＡを有する通信デバイスであり、通信ライン２６に接続されている。通信Ｉ／Ｆ４０は、通信ライン２６を介して接続されている測色器１４とＣＰＵ３０Ａとの通信を司る。
【００５４】
外部Ｉ／Ｆ４２は、ＦＰＧＡを有する通信デバイスである。外部Ｉ／Ｆ４２には、画像形成装置、パーソナル・コンピュータ、ＵＳＢメモリ、外付けＳＳＤ、外付けＨＤＤ、ＥＥＰＲＯＭ、及びメモリカード等の外部装置（図示省略）が接続される。外部Ｉ／Ｆ４２は、ＣＰＵ３０Ａと外部装置との間の各種情報の授受を司る。
【００５５】
測色器１４は、受付デバイス１４Ａ、光源１４Ｂ、受光素子１４Ｃ、通信Ｉ／Ｆ１４Ｄ、及び制御装置１４Ｅを備えている。また、測色器１４は、Ｒ（Ｒｅｄ）色、Ｇ（Ｇｒｅｅｎ）色、及びＢ（Ｂｌｕｅ）色の各色のカラーフィルタも備えている。受付デバイス１４Ａ、光源１４Ｂ、受光素子１４Ｃ、及び通信Ｉ／Ｆ１４Ｄの各々は制御装置１４Ｅに接続されている。
【００５６】
制御装置１４Ｅは、ＣＰＵ、ＲＯＭ、及びＲＡＭを有するコンピュータによって実現されている。なお、ここでは、コンピュータを例示しているが、これに限らず、ＡＳＩＣ、ＦＰＧＡ、及びＰＤＬのうちの少なくとも１つによって実現されるようにしてもよいし、ハードウェア構成とソフトウェア構成との組み合わせによって実現されるようにしてもよい。
【００５７】
受付デバイス１４Ａは、測色実行スイッチ１４Ａ１及びハードキー（図示省略）を備えており、ユーザから各種指示を受け付け、受付結果を制御装置１４Ｅに出力する。光源１４Ｂは、制御装置１４Ｅの制御下で、光を照射する。受光素子１４Ｃは、光を受光し、受光した光の強さに応じた電気信号を制御装置１４Ｅに出力する。ここでは、受光素子１４Ｃとして、ＣＭＯＳ方式の光電変換素子が採用されている。なお、ここでは、ＣＭＯＳ方式の光電変換素子を例示しているが、これはあくまでも一例に過ぎず、ＣＣＤ方式の光電変換素子であってもよい。
【００５８】
光源１４Ｂによって色見本表Ｐに光が照射され、照射先（例えば、色見本表Ｐ）からの反射光がカラーフィルタによってＲ色、Ｇ色、及びＢ色の各色の光に分解される。受光素子１４Ｃは、カラーフィルタによって分解された各色の反射光の強さに応じた電気信号を制御装置１４Ｅに出力する。制御装置１４Ｅは、受光素子１４Ｃから入力された電気信号に基づいて各色の測色値をＬａｂ色空間のＬ＊、ａ＊、及びｂ＊の値で算出し、算出結果を測色情報として通信Ｉ／Ｆ１４Ｄを介して画像処理装置１２に送信する。画像処理装置１２では、測色器１４の通信Ｉ／Ｆ１４Ｄから送信された測色情報が通信Ｉ／Ｆ４０によって受信され、受信された測色情報はＣＰＵ３０Ａによって取得される。
【００５９】
一例として図３に示すように、色見本表Ｐの種類は複数存在している。色見本表Ｐの種類は、互いに色見本の配置が異なる６種類に大別される。すなわち、色見本表Ｐは、第１の色見本表Ｐ１、第２の色見本表Ｐ２、第３の色見本表Ｐ３、第４の色見本表Ｐ４、第５の色見本表Ｐ５、及び第６の色見本表Ｐ６に大別される。なお、以下では、説明の便宜上、第１の色見本表Ｐ１、第２の色見本表Ｐ２、第３の色見本表Ｐ３、第４の色見本表Ｐ４、第５の色見本表Ｐ５、及び第６の色見本表Ｐ６を区別して説明する必要がない場合は、「色見本表Ｐ」と称する。
【００６０】
色見本表Ｐは、６行７列の行列状に区分された４２個の区分領域Ｒを有する。第１の色見本表Ｐ１において、第１行第１列にはＣ色の色見本が付与されており、第６行第１列にはＭ色の色見本が付与されている。第２の色見本表Ｐ２において、第１行第１列にはＣ色の色見本が付与されており、第６行第１列にはＹ色の色見本が付与されている。第３の色見本表Ｐ３において、第１行第１列にはＣ色の色見本が付与されており、第６行第１列にはＫ色の色見本が付与されている。第４の色見本表Ｐ４において、第１行第１列にはＭ色の色見本が付与されており、第６行第１列にはＹ色の色見本が付与されている。第５の色見本表Ｐ５において、第１行第１列にはＭ色の色見本が付与されており、第６行第１列にはＫ色の色見本が付与されている。第６の色見本表Ｐ６において、第１行第１列にはＹ色の色見本が付与されており、第６行第１列にはＫ色の色見本が付与されている。
【００６１】
このように、Ｙ色、Ｍ色、Ｃ色、及びＫ色のうち、特定の階調値（ここでは、一例として、１００％）の２色の色見本、すなわち、一対の色見本の各々が色見本表Ｐの４隅のうちの予め定められた異なる隅に配置されることで色見本表Ｐの種類が特定される。ここで言う「予め定められた異なる隅」とは、図３に示す例では、第１行第１列と第６行第１列との２隅を指す。
【００６２】
なお、第１行第１列と第６行第１列との２隅は、あくまでも一例に過ぎず、第１行第１列と第６行第１列との２隅以外の２隅であってもよい。この場合、一対の色見本が配置される２隅は、図３に示す例と同様に、色見本表Ｐの４隅のうちの隣り合う２隅であることが好ましい。
【００６３】
一例として図４に示すように、色見本表Ｐは、第１行から第６行の複数行と第１列から第７列の複数列とで区分けされており、各区分領域Ｒに対して互いに内容が異なる色見本が割り当てられている。測色器１４は、行単位で、複数の色見本を色見本表Ｐの一辺に沿う一方向に走査することで、複数の色見本の各々を測色する。
【００６４】
ここで、「一辺に沿う一方向」とは、図３に示す例では、各行において第１列から第７列に向かう方向を指す。なお、以下では、説明の便宜上、各行において第１列から第７列に向かう方向を「主走査方向」と称する。
【００６５】
測色器１４では、測色実行スイッチ１４Ａ１がオンされている間、測色が実行される。ユーザは、行単位で、測色実行スイッチ１４Ａ１をオン状態にしたまま測色器１４を主走査方向に移動させることで、行毎の測色を行う。
【００６６】
測色器１４による主走査方向の測色は、副走査方向に沿って行われる。副走査方向は、上方向と下方向とに大別される。一例として図４に示すように、上方向とは、第１行から第７行に向かう方向を指し、下方向とは、第７行から第１行に向かう方向を指す。
【００６７】
図４に示す例では、下方向に１行ずつ測色器１４によって主走査が行われる態様が示されている。逆に、図５に示す例では、上方向に１行ずつ測色器１４によって主走査が行われる態様が示されている。一例として図４及び図５に示すように、色見本表Ｐに対する測色が上方向に向かって行われるのか、下方向に向かって行われるのかは、ユーザの使い方次第で異なる。下方向での測色か、又は上方向での測色かは、測色器１４によって判別されない。
【００６８】
このように、副走査方向の測色方向としては、上方向と下方向との２つのパターンが存在する一方で、一例として図６に示すように、測色器１４による主走査方向に対する色見本表Ｐの向きとしては、４つのパターンが存在している。４つのパターンとは、色見本表Ｐの四辺に各々沿う４方向を指す。なお、以下では、説明の便宜上、測色器１４による主走査方向に対する色見本表Ｐの向きを、「色見本表Ｐの向き」とも称する。
【００６９】
図６には、第１の色見本表Ｐ１の向きのパターンの一例が示されている。図６に示す例では、第１の色見本表Ｐ１の向きとして、第１の向き、第２の向き、第３の向き、及び第４の向きが示されている。第１の向きでは、Ｃ色及びＭ色による一対の色見本の各々は、第１行第１列と第６行第１列とに配置されている。すなわち、Ｃ色の色見本が第１行第１列に位置し、Ｍ色の色見本が第１行第６列に位置している。
【００７０】
第１の向きの色見本表Ｐ１は、図６に対する正面視時計回り方向（図６に示す円弧矢印方向）に沿って９０度回転させると、第２の向きになる。第２の向きでは、第１の向きの行列が入れ替わる。すなわち、第１の向きでの行が、第２の向きでは列となり、第１の向きでの列が、第２の向きでは行となる。従って、第２の向きでは、Ｃ色及びＭ色による一対の色見本の各々は、第１行第６列と第１行第１列とに配置されている。つまり、Ｃ色の色見本が第１行第６列に位置し、Ｍ色の色見本が第１行第１列に位置している。
【００７１】
第２の向きの色見本表Ｐ１は、図６に対する正面視時計回り方向（図６に示す円弧矢印方向）に沿って９０度回転させると、第３の向きになる。第３の向きでは、第２の向きの行列が入れ替わる。すなわち、第２の向きでの行が、第３の向きでは列となり、第２の向きでの列が、第３の向きでは行となる。従って、第３の向きでは、Ｃ色及びＭ色による一対の色見本の各々は、第６行第７列と第１行第７列とに配置されている。つまり、Ｃ色の色見本が第６行第７列に位置し、Ｍ色の色見本が第１行第７列に位置している。
【００７２】
第３の向きの色見本表Ｐ１は、図６に対する正面視時計回り方向（図６に示す円弧矢印方向）に沿って９０度回転させると、第４の向きになる。第４の向きでは、第３の向きの行列が入れ替わる。すなわち、第３の向きでの行が、第４の向きでは列となり、第３の向きでの列が、第４の向きでは行となる。従って、第４の向きでは、Ｃ色及びＭ色による一対の色見本の各々は、第１行第７列と第７行第６列とに配置されている。つまり、Ｃ色の色見本が第１行第７列に位置し、Ｍ色の色見本が第７行第６列に位置している。
【００７３】
なお、第４の向きの色見本表Ｐ１は、図６に対する正面視時計回り方向（図６に示す円弧矢印方向）に沿って９０度回転させると、第１の向きに戻る。
【００７４】
一例として図６に示すように、副走査方向の測色方向は、上方向と下方向との２つの方向であり、かつ、色見本表Ｐの向きは、４つの向きの何れかであるので、８パターンの測色方法が存在する。また、色見本表Ｐは第１〜第６の色見本表Ｐ１〜Ｐ６の６種類が存在する。
【００７５】
そのため、ユーザは、何れの色見本表Ｐを測色しているかを把握した上で、全種類の色見本表Ｐに対して、８パターンの測色方法の何れのパターンの測色方法で測色しているかということも把握しないと、誤測色が行われてしまうことが考えられる。誤測色としては、例えば、重複測色、向き誤り測色、及び上下方向誤り測色等が挙げられる。重複測色とは、同種類の色見本表Ｐに対する重複した測色を指す。向き誤り測色とは、色見本表Ｐの向きを誤った状態での測色を指す。上下方向誤り測色とは、副走査方向の向き、すなわち、上下方向を誤った状態での測色を指す。なお、以下では、説明の便宜上、副走査方向の向きを「副走査方向の色測方向」とも称する。
【００７６】
画像処理装置１２では、色空間の変換又は階調値補正等に用いられる色変換プロファイルが作成される。色変換プロファイルの正確な作成には、上記の誤測色の回避が求められる。
【００７７】
そこで、画像処理装置１２では、一例として図７に示すように、ＲＯＭ３０Ｂに色変換プロファイル作成プログラム３０Ｂ１が記憶されており、ＣＰＵ３０Ａにより色変換プロファイル作成プログラム３０Ｂ１に従って色変換プロファイル作成処理が実行される。記憶装置３８には、色見本表データ３８Ａと対応付け情報３８Ｂとが記憶されている。色見本表データ３８Ａは、第１〜第６の色見本表Ｐ１〜Ｐ６に対応する色見本表データ３８Ａ１〜３８Ａ６に大別される。色見本表データ３８Ａ及び対応付け情報３８Ｂは、ＣＰＵ３０Ａによって色変換プロファイル作成処理が実行されることで用いられる。
【００７８】
ＣＰＵ３０Ａは、ＲＯＭ３０Ｂから色変換プロファイル作成プログラム３０Ｂ１を読み出し、読み出した色変換プロファイル作成プログラム３０Ｂ１をＲＡＭ３０Ｃに展開する。ＣＰＵ３０Ａは、ＲＡＭ３０Ｃに展開した色変換プロファイル作成プログラム３０Ｂ１を実行することで、受付部３０Ａ１、判定部３０Ａ２、変更部３０Ａ３、作成部３０Ａ４、及び報知部３０Ａ５として動作する。
【００７９】
受付部３０Ａ１は、測色器１４から出力された測色情報を受け付ける。一例として図８〜図１１に示すように、第１の色見本表Ｐ１の向きは４パターン存在し、副走査方向の測色方向は２パターン存在するので、受付部３０Ａ１による測色情報の受付順は、第１の色見本表Ｐ１の向き及び副走査方向の測色方向に応じて異なる。なお、図８〜図１１には、第１の色見本表Ｐ１を例示しているが、第２〜第６の色見本表Ｐ２〜Ｐ６についても同様のことが言える。
【００８０】
一例として図８に示すように、第１の色見本表Ｐ１が第１の向きの状態で第１行から第６行にかけて下方向にずらしながら行単位で主走査が行われた場合、Ｃ色及びＭ色による一対の色見本のうちのＣ色による色見本を示す測色情報は、受付部３０Ａ１によって１番目に受け付けられる。また、一対の色見本のうちのＭ色による色見本を示す測色情報は、受付部３０Ａ１によって３６番目に受け付けられる。
【００８１】
一方、第１の色見本表Ｐ１が第１の向きの状態で第６行から第１行にかけて上方向にずらしながら行単位で主走査が行われた場合、一対の色見本のうちのＭ色による色見本を示す測色情報は、受付部３０Ａ１によって１番目に受け付けられる。また、一対の色見本のうちのＣ色による色見本を示す測色情報は、受付部３０Ａ１によって３６番目に受け付けられる。
【００８２】
一例として図９に示すように、第１の色見本表Ｐ１が第２の向きの状態で第１行から第７行にかけて下方向にずらしながら行単位で主走査が行われた場合、一対の色見本のうちのＭ色による色見本を示す測色情報は、受付部３０Ａ１によって１番目に受け付けられる。また、一対の色見本のうちのＣ色による色見本を示す測色情報は、受付部３０Ａ１によって６番目に受け付けられる。
【００８３】
一方、第１の色見本表Ｐ１が第２の向きの状態で第７行から第１行にかけて上方向にずらしながら行単位で主走査が行われた場合、一対の色見本のうちのＭ色による色見本を示す測色情報は、受付部３０Ａ１によって３７番目に受け付けられる。また、一対の色見本のうちのＣ色による色見本を示す測色情報は、受付部３０Ａ１によって４２番目に受け付けられる。
【００８４】
一例として図１０に示すように、第１の色見本表Ｐ１が第３の向きの状態で第１行から第６行にかけて下方向にずらしながら行単位で主走査が行われた場合、一対の色見本のうちのＭ色による色見本を示す測色情報は、受付部３０Ａ１によって７番目に受け付けられる。また、一対の色見本のうちのＣ色による色見本を示す測色情報は、受付部３０Ａ１によって４２番目に受け付けられる。
【００８５】
一方、第１の色見本表Ｐ１が第３の向きの状態で第６行から第１行にかけて上方向にずらしながら行単位で主走査が行われた場合、一対の色見本のうちのＣ色による色見本を示す測色情報は、受付部３０Ａ１によって７番目に受け付けられる。また、一対の色見本のうちのＭ色による色見本を示す測色情報は、受付部３０Ａ１によって４２番目に受け付けられる。
【００８６】
一例として図１１に示すように、第１の色見本表Ｐ１が第４の向きの状態で第１行から第７行にかけて下方向にずらしながら行単位で主走査が行われた場合、一対の色見本のうちのＣ色による色見本を示す測色情報は、受付部３０Ａ１によって３７番目に受け付けられる。また、一対の色見本のうちのＭ色による色見本を示す測色情報は、受付部３０Ａ１によって４２番目に受け付けられる。
【００８７】
一方、第１の色見本表Ｐ１が第４の向きの状態で第７行から第１行にかけて上方向にずらしながら行単位で主走査が行われた場合、一対の色見本のうちのＣ色による色見本を示す測色情報は、受付部３０Ａ１によって１番目に受け付けられる。また、一対の色見本のうちのＭ色による色見本を示す測色情報は、受付部３０Ａ１によって６番目に受け付けられる。
【００８８】
このように、一対の色見本の各々を示す測色情報が受付部３０Ａ１によって受け付けられる順番は、第１の色見本表Ｐ１の向き及び副走査方向の測色方向に応じて異なる。つまり、一対の色見本の各々を示す測色情報が受付部３０Ａ１によって受け付けられる順番から第１の色見本表Ｐ１の向き及び副走査方向の測色方向が特定される。
【００８９】
また、図８〜図１１では、第１の色見本表Ｐ１が例示されているので、一対の色見本の組み合わせ色はＣ色及びＭ色である。よって、受付部３０Ａ１によってＣ色及びＭ色による一対の色見本の各々を示す測色情報が受け付けられる順番から、色見本表Ｐが第１の色見本表Ｐ１であることが特定される。つまり、受付部３０Ａ１によって受け付けられる一対の色見本の組み合わせ色と、一対の色見本の組み合わせ色の各々を示す測色情報が受け付けられる順番から、色見本表Ｐの種類が特定される。
【００９０】
そこで、画像処理装置１２では、色見本表Ｐの向き、副走査方向の測色方向、及び色見本表Ｐの種類を特定するために、一例として図１２に示すように、対応付け情報３８Ｂが用いられる。対応付け情報３８Ｂは、本開示の技術に係る「対応付け情報」の一例である。対応付け情報３８Ｂは、色見本表Ｐ内での一対の色見本の対応関係を示す対応関係情報と色見本表Ｐの属性とが対応付けられた情報である。対応付け情報３８Ｂはテーブル形式で構築されている。また、ここで言う「属性」とは、色見本表Ｐの向き、副走査方向の測色方向、及び色見本表Ｐの種類を指す。なお、ここでは、対応付け情報３８Ｂがテーブル形式の情報とされているが、これはあくまでも一例に過ぎず、対応付け情報３８Ｂが演算式によって実現されるようにしてもよい。
【００９１】
一例として図１２に示すように、対応付け情報３８Ｂは、色見本表Ｐの属性を示す属性情報として、向き情報、副走査方向情報、及び色見本表特定情報を有する。向き情報は、色見本表Ｐの向きを示す情報である。向き情報は、第１の向きを示す第１の向き情報と、第２の向きを示す第２の向き情報と、第３の向きを示す第３の向き情報と、第４の向きを示す第４の向き情報とに大別される。
【００９２】
副走査方向情報は、副走査方向の測色方向を示す情報、すなわち、上方向なのか、下方向なのかを特定可能な情報であり、上方向を示す上方向情報と、下方向を示す下方向情報とに大別される。
【００９３】
色見本表特定情報は、色見本表Ｐの種類を示す情報である。色見本表特定情報は、第１の色見本表Ｐ１を特定可能な第１の色見本表情報と、第２の色見本表Ｐ２を特定可能な第２の色見本表情報と、第３の色見本表Ｐ３を特定可能な第３の色見本表情報と、第４の色見本表Ｐ４を特定可能な第４の色見本情報と、第５の色見本表Ｐ５を特定可能な第５の色見本表情報と、第６の色見本表Ｐ６を特定可能な第６の色見本表情報とに大別される。
【００９４】
対応付け情報３８Ｂは、対応関係情報として、色組み合わせ情報及び順番情報を有する。色組み合わせ情報は、色見本表Ｐの種類毎の一対の色見本の色の組み合わせとして予め定められた組み合わせを示す情報であり、色見本表Ｐの種類毎に異なる。
【００９５】
すなわち、第１の色見本表Ｐ１の場合、色組み合わせ情報は、Ｃ色及びＭ色の組み合わせを示す情報である（図３参照）。第２の色見本表Ｐ２の場合、色組み合わせ情報は、Ｃ色及びＹ色の組み合わせを示す情報である（図３参照）。第３の色見本表Ｐ３の場合、色組み合わせ情報は、Ｃ色及びＫ色の組み合わせを示す情報である（図３参照）。第４の色見本表Ｐ４の場合、色組み合わせ情報は、Ｍ色及びＹ色の組み合わせを示す情報である（図３参照）。第５の色見本表Ｐ５の場合、色組み合わせ情報は、Ｍ色及びＫ色の組み合わせを示す情報である（図３参照）。第６の色見本表Ｐ６の場合、色組み合わせ情報は、Ｙ色及びＫ色の組み合わせを示す情報である（図３参照）。
【００９６】
順番情報は、色見本表Ｐに含まれる全ての色見本のうちの一対の色見本の各々が測色器１４によって測色される順番として予め定められた順番を示す情報である。測色器１４によって測色される順番は、受付部３０Ａ１によって受け付けられた順番によって特定される。予め定められた順番は、色見本表Ｐの四辺に各々沿う４方向のうちの何れかを特定可能な順番である。すなわち、予め定められた順番は、第１の向き、第２の向き、第３の向き、及び第４の向きの何れかを特定可能な順番である。順番情報は、色見本表Ｐの各向きについて、色組み合わせ情報により示される色の組み合わせに含まれる色毎に対応付けられている。なお、順番情報及び色組み合わせ情報は、本開示の技術に係る「順番組み合わせ情報」の一例である。
【００９７】
図１２には、第１〜第６の色見本表Ｐ１〜Ｐ６のうちの第１の色見本表Ｐ１に関する対応付け情報３８Ｂの具体例が詳細に示されている。図１２に示す例では、第１の向き及び下方向情報に対して、Ｃ色及びＭ色による一対の色見本のうちのＣ色の測色情報の受付部３０Ａ１による受付順としてＸ１番目が対応付けられており、Ｍ色の測色情報の受付部３０Ａ１による受付順としてＹ１番目が対応付けられている。Ｘ１番目及びＹ１番目を図８に示す例に当て嵌めると、Ｘ１番目とは、１番目を意味し、Ｙ１番目とは、３６番目を意味する。
【００９８】
また、図１２示す例では、第１の向き及び上方向情報に対して、Ｃ色及びＭ色による一対の色見本のうちのＣ色の測色情報の受付部３０Ａ１による受付順としてＸ５番目が対応付けられており、Ｍ色の測色情報の受付部３０Ａ１による受付順としてＹ５番目が対応付けられている。Ｘ５番目及びＹ５番目を図８に示す例に当て嵌めると、Ｘ５番目とは、３６番目を意味し、Ｙ５番目とは、１番目を意味する。
【００９９】
また、図１２に示す例では、第２の向き及び下方向情報に対して、Ｃ色及びＭ色による一対の色見本のうちのＣ色の測色情報の受付部３０Ａ１による受付順としてＸ２番目が対応付けられており、Ｍ色の測色情報の受付部３０Ａ１による受付順としてＹ２番目が対応付けられている。Ｘ２番目及びＹ２番目を図９に示す例に当て嵌めると、Ｘ２番目とは、６番目を意味し、Ｙ２番目とは、１番目を意味する。
【０１００】
また、図１２に示す例では、第２の向き及び上方向情報に対して、Ｃ色及びＭ色による一対の色見本のうちのＣ色の測色情報の受付部３０Ａ１による受付順としてＸ６番目が対応付けられており、Ｍ色の測色情報の受付部３０Ａ１による受付順としてＹ６番目が対応付けられている。Ｘ６番目及びＹ６番目を図９に示す例に当て嵌めると、Ｘ６番目とは、４２番目を意味し、Ｙ６番目とは、３７番目を意味する。
【０１０１】
また、図１２に示す例では、第３の向き及び下方向情報に対して、Ｃ色及びＭ色による一対の色見本のうちのＣ色の測色情報の受付部３０Ａ１による受付順としてＸ３番目が対応付けられており、Ｍ色の測色情報の受付部３０Ａ１による受付順としてＹ３番目が対応付けられている。Ｘ３番目及びＹ３番目を図１０に示す例に当て嵌めると、Ｘ３番目とは、４２番目を意味し、Ｙ３番目とは、７番目を意味する。
【０１０２】
また、図１２に示す例では、第３の向き及び上方向情報に対して、Ｃ色及びＭ色による一対の色見本のうちのＣ色の測色情報の受付部３０Ａ１による受付順としてＸ７番目が対応付けられており、Ｍ色の測色情報の受付部３０Ａ１による受付順としてＹ７番目が対応付けられている。Ｘ７番目及びＹ７番目を図１０に示す例に当て嵌めると、Ｘ７番目とは、７番目を意味し、Ｙ７番目とは、４２番目を意味する。
【０１０３】
また、図１２に示す例では、第４の向き及び下方向情報に対して、Ｃ色及びＭ色による一対の色見本のうちのＣ色の測色情報の受付部３０Ａ１による受付順としてＸ４番目が対応付けられており、Ｍ色の測色情報の受付部３０Ａ１による受付順としてＹ４番目が対応付けられている。Ｘ４番目及びＹ４番目を図１１に示す例に当て嵌めると、Ｘ４番目とは、３７番目を意味し、Ｙ４番目とは、４２番目を意味する。
【０１０４】
また、図１２に示す例では、第４の向き及び上方向情報に対して、Ｃ色及びＭ色による一対の色見本のうちのＣ色の測色情報の受付部３０Ａ１による受付順としてＸ８番目が対応付けられており、Ｍ色の測色情報の受付部３０Ａ１による受付順としてＹ８番目が対応付けられている。Ｘ８番目及びＹ８番目を図１１に示す例に当て嵌めると、Ｘ８番目とは、１番目を意味し、Ｙ８番目とは、６番目を意味する。
【０１０５】
一例として図１３に示すように、色見本表データ３８Ａは、色見本表Ｐに含まれる色見本を特定可能な色見本特定情報を有する。色見本特定情報は、本開示の技術に係る「特定情報」の一例である。色見本表データ３８Ａ１〜３８Ａ６は、第１の色見本表Ｐ１〜Ｐ６に対応している。色見本表データ３８Ａ１〜３８Ａ６の各々に対しては、対応する色見本表特定情報が付与されており、色見本表データ３８Ａに対応する色見本表Ｐの種類は色見本表特定情報から特定される。
【０１０６】
図１３に示す例では、色見本表データ３８Ａ１は、色見本特定情報Ｎ１〜Ｎ４２を有する。色見本特定情報Ｎ１〜Ｎ４２の各々が、対応する色見本の位置に対して割り当てられており、色見本表Ｐに含まれる色見本の位置は、色見本特定情報Ｎ１〜Ｎ４２から特定される。
【０１０７】
一例として図１４に示すように、上述したように受付部３０Ａ１が測色情報を受け付けると、測色時系列情報を生成し、生成した測色時系列情報を判定部３０Ａ２に出力する。測色時系列情報とは、測色情報が受け付けられた順に時系列で並べられた時系列情報を指す。
【０１０８】
判定部３０Ａ２は、色見本表Ｐにおいて一対の色見本の各々について受付部３０Ａ１によって受け付けられた測色情報と対応付け情報３８Ｂとを用いて、測色器１４による測色対象とされた色見本表Ｐの属性を判定する。
【０１０９】
判定部３０Ａ２は、記憶装置３８から対応付け情報３８Ｂを取得する。そして、判定部３０Ａ２は、測色時系列情報、並びに、対応付け情報３８Ｂに含まれる順番情報及び色組み合わせ情報を用いて色見本表種類判定処理、色見本表向き判定処理、及び副走査方向判定処理を実行する。
【０１１０】
色見本表種類判定処理では、一対の色見本の各々が測色器１４によって測色された順番、及び測色器１４によって測色された一対の色見本の組み合わせに対応する色見本表Ｐの種類が判定される。
【０１１１】
具体的には、色見本表種類判定処理では、測色時系列情報、順番情報、及び色組み合わせ情報から色見本表特定情報が導出されることで、測色器１４による測色対象とされた色見本表Ｐの種類が判定される。すなわち、判定部３０Ａ２は、測色時系列情報に含まれる測色情報のうち、一対の色見本の測色情報の色の組み合わせを示す色組み合わせ情報と、測色時系列情報上での一対の色見本の測色情報の順番を示す順番情報とに対応する色見本表特定情報を導出する。そして、判定部３０Ａ２によって導出された色見本表特定情報により特定された色見本表Ｐの種類が測色器１４による測色対象とされた色見本表Ｐの種類として判定される。
【０１１２】
色見本向き判定処理では、一対の色見本の各々が測色器１４によって測色された順番に対応する色見本表Ｐの向きが判定される。
【０１１３】
具体的には、色見本向き判定処理では、測色時系列情報、順番情報、及び色組み合わせ情報から向き情報が導出されることで、色見本表Ｐの向きが判定される。すなわち、判定部３０Ａ２は、測色時系列情報に含まれる測色情報のうち、一対の色見本の測色情報の色の組み合わせを示す色組み合わせ情報と、測色時系列情報上での一対の色見本の測色情報の順番を示す順番情報とに対応する向き情報を導出する。ここでは、第１の向き情報、第２の向き情報、第３の向き情報、及び第４の向き情報の何れかが導出される。そして、判定部３０Ａ２によって導出された向き情報により示される色見本表Ｐの向きが測色器１４による測色対象とされた色見本表Ｐの種類として判定される。
【０１１４】
副走査方向判定処理では、一対の色見本の各々が測色器１４によって測色された順番に対応する副走査方向が判定される。
【０１１５】
具体的には、副走査方向判定処理では、測色時系列情報、順番情報、及び色組み合わせ情報から副走査方向情報が導出されることで、副走査方向の測色方向が判定される。すなわち、判定部３０Ａ２は、測色時系列情報に含まれる測色情報のうち、一対の色見本の測色情報の色の組み合わせを示す色組み合わせ情報と、測色時系列情報上での一対の色見本の測色情報の順番を示す順番情報とに対応する副走査方向情報を導出する。ここでは、上方向情報及び下方向情報の何れかが導出される。そして、判定部３０Ａ２によって導出された副走査方向情報により示される副走査方向の測色方向が測色器１４による測色対象とされた色見本表Ｐに対する副走査方向の測色方向として判定される。
【０１１６】
判定部３０Ａ２は、色見本表種類判定処理での判定結果、色見本向き判定処理での判定結果、及び副走査方向判定処理での判定結果が何れも正しい場合に、測色時系列情報を記憶装置３８に記憶し、かつ、判定結果情報を変更部３０Ａ３に出力する。すなわち、判定部３０Ａ２によって判定された色見本表Ｐの属性が、第１〜第６の色見本表Ｐ１〜Ｐ６のうちの何れかの色見本表Ｐの属性の場合に、測色時系列情報が記憶装置３８に記憶され、かつ、判定結果情報が変更部３０Ａ３に出力される。判定結果情報とは、判定部３０Ａ２によって導出された色見本表特定情報、向き情報、及び副走査方向情報を指す。なお、第１〜第６の色見本表Ｐ１〜Ｐ６のうちの何れかの色見本表Ｐは、本開示の技術に係る「予め定められた複数種類のうちの何れかの色見本表」の一例である。
【０１１７】
判定部３０Ａ２は、色見本表種類判定処理での判定結果、色見本向き判定処理での判定結果、及び副走査方向判定処理での判定結果のうちの何れかが誤っている場合に、測色誤り情報を報知部３０Ａ５に出力する。
【０１１８】
測色誤り情報は、誤り種類情報を含む。測色誤り情報には、誤り種類情報が含まれる。誤り種類情報は、色見本表種類判定処理、色見本向き判定処理、及び色見本向き判定処理の何れの種類の判定処理が誤っているかを示す情報である。
【０１１９】
ここで、色見本表種類判定処理での判定結果が誤っている場合とは、判定部３０Ａ２によって判定された色見本表Ｐの種類に対応する測色時系列情報が既に記憶装置３８に記憶されている場合を指す。この場合、色見本表Ｐの種類が重複して判定され、色見本表種類判定処理での判定結果が誤っていることを示す誤り種類情報を含む測色誤り情報が報知部３０Ａ５に出力される。
【０１２０】
色見本向き判定処理での判定結果が誤っている場合とは、判定部３０Ａ２によって第１の向き情報、第２の向き情報、第３の向き情報、及び第４の向き情報の何れも導出されなかった場合を指す。この場合、測色時系列情報に含まれる測色情報のうちの一対の色見本の測色情報の色の組み合わせ、及び測色時系列情報上での一対の色見本の測色情報の順番が対応付け情報３８Ｂに規定されていないと判定される。そして、色見本向き判定処理での判定結果が誤っていることを示す誤り種類情報を含む測色誤り情報が報知部３０Ａ５に出力される。
【０１２１】
副走査方向判定処理での判定結果が誤っている場合とは、判定部３０Ａ２によって上方向情報及び下方向情報の何れも導出されなかった場合を指す。この場合、測色時系列情報に含まれる測色情報のうちの一対の色見本の測色情報の色の組み合わせ、及び測色時系列情報上での一対の色見本の測色情報の順番が対応付け情報３８Ｂに規定されていないと判定される。そして、副走査方向判定処理での判定結果が誤っていることを示す誤り種類情報を含む測色誤り情報が報知部３０Ａ５に出力される。
【０１２２】
報知部３０Ａ５は、判定部３０Ａ２での判定結果に従って測色の誤りを報知する。具体的には、報知部３０Ａ５は、判定部３０Ａ２から測色誤り情報が入力されると、測色が誤っていることを示す情報をディスプレイ３６Ａに対して表示させることで、測色器１４による測色の誤りを報知する。報知部３０Ａ５は、測色誤り情報に含まれる誤り種類情報から色見本表種類判定処理での判定結果、色見本向き判定処理での判定結果、及び副走査方向判定処理での判定結果のうちの何れの判定結果が誤っているかを示す情報をディスプレイ３６Ａに対して表示させる。ディスプレイ３６Ａに対して表示させる情報は、測色器１４による測色の誤りが特定可能で、かつ、測色誤り情報に含まれる誤り種類情報から色見本表種類判定処理での判定結果、色見本向き判定処理での判定結果、及び副走査方向判定処理での判定結果のうちの何れの判定結果が誤っているかが特定可能なメッセージ及び画像等のようにユーザが視覚的に知覚可能な情報であればよい。
【０１２３】
なお、ディスプレイ３６Ａによる可視表示に限らず、スピーカ等の音声再生装置による可聴表示、又はプリンタ等の印刷装置によって用紙等の記録媒体に画像が形成されることで実現される可視表示であってもよいし、これらの組み合わせによって報知が行われるようにしてもよい。
【０１２４】
一例として図１５に示すように、変更部３０Ａ３は、第１〜第６の色見本表Ｐ１〜Ｐ６についての測色時系列情報が記憶装置３８に記憶されている場合に、記憶装置３８から測色時系列情報を取得する。そして、変更部３０Ａ３は、測色時系列情報を、第１〜第６の色見本表Ｐ１〜Ｐ６の各々について指定された順序及び指定された向きに合わせて作成部３０Ａ４に出力する。
【０１２５】
ここで、変更部３０Ａ３の処理内容について具体的に説明する。変更部３０Ａ３は、判定部３０Ａ２から入力された判定結果情報に対応する測色時系列情報を、測色時系列情報が記憶装置３８に記憶された順に記憶装置３８から取得する。変更部３０Ａ３は、受付デバイス３６Ｂから、第１〜第６の色見本表Ｐ１〜Ｐ６の各々について指定された向き及び指定された順序を示す向き順序指定情報を取得する。向き順序指定情報は、受付デバイス３６Ｂによって受け付けられた情報である。指定された向きとは、色見本表Ｐの向きとして指定された向きを指し、指定された順序とは、第１〜第６の色見本表Ｐ１〜Ｐ６の順序として指定された順序を指す。このように、受付デバイス３６Ｂを介して向き順序指定情報が変更部３０Ａ３に与えられることで、色見本表Ｐの向きと第１〜第６の色見本表Ｐ１〜Ｐ６の順序とが指定される。
【０１２６】
変更部３０Ａ３は、判定結果情報及び向き順序指定情報を用いて測色時系列情報に含まれる測色情報の順序の変更が必要か否かを判定する。すなわち、変更部３０Ａ３は、判定結果情報から測色時系列情報に含まれる測色情報の順序を特定し、特定した順序が向き順序指定情報によって指定された色見本表Ｐの向き及び指定された第１〜第６の色見本表Ｐ１〜Ｐ６の順序と一致している場合、測色情報の順序の変更が不要と判定する。一方、変更部３０Ａ３は、判定結果情報から測色時系列情報に含まれる測色情報の順序を特定し、特定した順序が向き順序指定情報によって指定された色見本表Ｐの向き及び指定された第１〜第６の色見本表Ｐ１〜Ｐ６の順序と異なっている場合、測色情報の順序の変更が必要と判定する。
【０１２７】
測色情報の順序の変更が不要な場合、変更部３０Ａ３は、記憶装置３８から取得した測色時系列情報をそのまま作成部３０Ａ４に出力する。一方、測色情報の順序の変更が必要な場合、変更部３０Ａ３は、判定結果情報から測色時系列情報に含まれる測色情報の順序を、向き順序指定情報によって指定された色見本表Ｐの向き及び指定された第１〜第６の色見本表Ｐ１〜Ｐ６の順序になるように変更する。そして、変更部３０Ａ３は、測色情報の順序を変更した測色時系列情報を作成部３０Ａ４に出力する。
【０１２８】
一例として図１６に示すように、作成部３０Ａ４は、色変換プロファイルを作成し、作成した色変換プロファイルを記憶装置３８に記憶する。色変換プロファイルは、判定部３０Ａ２での判定結果に基づいて、受付部３０Ａ１によって受け付けられた測色情報と色見本表データ３８Ａの色見本特定情報とが対応付けられることで色変換プロファイルが作成される。色変換プロファイルは、第１〜第６の色見本表Ｐ１〜Ｐ６の各々について作成される。すなわち、色変換プロファイルは、第１〜第６の色見本表Ｐ１〜Ｐ６の各々について、指定された順序及び指定された向きで出力された測色時系列情報と、色見本表データ３８Ａ１〜３８Ａ６の各々の色見本特定情報（図１３参照）とが対応付けられることで作成される。
【０１２９】
ここで、作成部３０Ａ４の処理内容について具体的に説明する。作成部３０Ａ４は、記憶装置３８から色見本表データ３８Ａ１〜３８Ａ６を取得する。そして、作成部３０Ａ４は、判定部３０Ａ２から入力された判定結果情報を参照して、変更部３０Ａ３から入力された測色時系列情報が第１〜第６の色見本表Ｐ１〜Ｐ６、すなわち、色見本表データ３８Ａ１〜３８Ａ６の何れに対応する測色時系列情報かを特定する。作成部３０Ａ４は、色見本表データ３８Ａ１〜３８Ａ６のうち、測色時系列情報に対応する色見本表データ３８Ａに対して測色時系列情報を対応付けることで色変換プロファイルを作成する。
【０１３０】
例えば、図１７に示すように、色見本表データ３８Ａ１については、第１の色見本表Ｐ１に対応する測色時系列情報に含まれる各測色情報が、対応する色見本特定情報に対して対応付けられることで、第１の色見本表Ｐ１に関する色変換プロファイルが作成される。これと同様の方法で、色見本表データ３８Ａ２〜３８Ａ６についても、第２〜第６の色見本表Ｐ２〜Ｐ６に関する色変換プロファイルが作成される。
【０１３１】
次に、画像処理システム１０の作用について図１８Ａ及び図１８Ｂを参照しながら説明する。図１８Ａ及び図１８Ｂには、色変換プロファイル作成プログラム３０Ｂ１に従ってＣＰＵ３０Ａによって実行される色変換プロファイル作成処理の流れの一例が示されている。なお、ここでは、説明の便宜上、第１〜第６の色見本表Ｐ１〜Ｐ６に対して測色器１４によって測色が行われ、第１〜第６の色見本表Ｐ１〜Ｐ６の各々に対して色変換プロファイルが作成されることを前提として説明する。
【０１３２】
図１８Ａに示す色変換プロファイル作成処理では、先ず、ステップＳＴ１０で、受付部３０Ａ１は、測色器１４から測色情報を受け付けたか否かを判定する。ステップＳＴ１０において、測色器１４から測色情報を受け付けていない場合は、判定が否定されて、色変換プロファイル作成処理は、図１８Ｂに示すステップＳＴ５０へ移行する。ステップＳＴ１０において、測色器１４から測色情報を受け付けた場合は、判定が肯定されて、色変換プロファイル作成処理はステップＳＴ１２へ移行する。
【０１３３】
ステップＳＴ１２で、受付部３０Ａ１は、１枚分の色見本表Ｐに対して測色が行われることによって得られた測色情報の受け付けを終了する条件（以下、「受付終了条件」と称する）を満足したか否かを判定する。受付終了条件の一例としては、測色情報の受け付けを終了する指示が受付デバイス３６Ｂによって受け付けられた、との条件が挙げられる。また、受付終了条件の他の一例としては、１枚分の色見本表Ｐに含まれる色見本の全てに対する測色情報が受付部３０Ａ１によって受け付けられた、との条件が挙げられる。
【０１３４】
ステップＳＴ１２において、受付終了条件を満足していない場合は、判定が否定されて、色変換プロファイル作成処理は、図１８Ｂに示すステップＳＴ５０へ移行する。ステップＳＴ１２において、受付終了条件を満足した場合は、判定が肯定されて、色変換プロファイル作成処理はステップＳＴ１４へ移行する。
【０１３５】
ステップＳＴ１４で、受付部３０Ａ１は、測色器１４から受け付けた測色情報を受付順に並べることで測色時系列情報を生成し、生成した測色時系列情報を判定部３０Ａ２に出力し、その後、色変換プロファイル作成処理はステップＳＴ１６へ移行する。
【０１３６】
ステップＳＴ１６で、判定部３０Ａ２は、記憶装置３８から対応付け情報３８Ｂを取得し、その後、色変換プロファイル作成処理はステップＳＴ１８へ移行する。
【０１３７】
ステップＳＴ１８で、判定部３０Ａ２は、測色時系列情報、順番情報、及び色組み合わせ情報を用いて、色見本表向き判定処理を実行し、その後、色変換プロファイル作成処理はステップＳＴ２０へ移行する。
【０１３８】
ステップＳＴ２０で、判定部３０Ａ２は、色見本表向き判定処理での判定結果が正しいか否かを判定する。ステップＳＴ２０において、色見本表向き判定処理での判定結果が誤っている場合は、判定が否定されて、色変換プロファイル作成処理はステップＳＴ３８へ移行する。ステップＳＴ２０において、色見本表向き判定処理での判定結果が正しい場合は、判定が肯定されて、色変換プロファイル作成処理はステップＳＴ２２へ移行する。
【０１３９】
ステップＳＴ２２で、判定部３０Ａ２は、判定結果情報として向き情報を変更部３０Ａ３に出力し、その後、色変換プロファイル作成処理はステップＳＴ２４へ移行する。
【０１４０】
ステップＳＴ２４で、判定部３０Ａ２は、測色時系列情報、順番情報、及び色組み合わせ情報を用いて、副走査方向判定処理を実行し、その後、色変換プロファイル作成処理はステップＳＴ２６へ移行する。
【０１４１】
ステップＳＴ２６で、判定部３０Ａ２は、副走査方向判定処理での判定結果が正しいか否かを判定する。ステップＳＴ２６において、副走査方向判定処理での判定結果が誤っている場合は、判定が否定されて、色変換プロファイル作成処理はステップＳＴ３８へ移行する。ステップＳＴ２６において、副走査方向判定処理での判定結果が正しい場合は、判定が肯定されて、色変換プロファイル作成処理はステップＳＴ２８へ移行する。
【０１４２】
ステップＳＴ２８で、判定部３０Ａ２は、判定結果情報として副走査方向情報を変更部３０Ａ３に出力し、その後、色変換プロファイル作成処理はステップＳＴ３０へ移行する。
【０１４３】
ステップＳＴ３０で、判定部３０Ａ２は、測色時系列情報、順番情報、及び色組み合わせ情報を用いて、色見本表種類判定処理を実行し、その後、色変換プロファイル作成処理はステップＳＴ３２へ移行する。
【０１４４】
ステップＳＴ３２で、判定部３０Ａ２は、色見本表種類判定処理での判定結果が正しいか否かを判定する。ステップＳＴ３２において、色見本表種類判定処理での判定結果が誤っている場合は、判定が否定されて、色変換プロファイル作成処理はステップＳＴ３８へ移行する。ステップＳＴ３２において、色見本表種類判定処理での判定結果が正しい場合は、判定が肯定されて、色変換プロファイル作成処理はステップＳＴ３４へ移行する。
【０１４５】
ステップＳＴ３４で、判定部３０Ａ２は、判定結果情報として色見本表特定情報を変更部３０Ａに出力し、その後、色変換プロファイル作成処理はステップＳＴ３６へ移行する。
【０１４６】
ステップＳＴ３６で、判定部３０Ａ２は、測色時系列情報を記憶装置３８に記憶し、その後、色変換プロファイル作成処理は、図１８Ｂに示すステップＳＴ４０へ移行する。
【０１４７】
ステップＳＴ３８で、報知部３０Ａ５は、測色が誤っていることを示す情報をディスプレイ３６Ａに対して表示させることで、測色器１４による測色の誤りを報知し、その後、色変換プロファイル作成処理は図１８Ｂに示すステップＳＴ５０へ移行する。
【０１４８】
ステップＳＴ２０において判定が否定された場合、本ステップＳＴ３８の処理が実行されることで、色見本向き判定処理での判定結果が誤っていることが特定可能な情報がディスプレイ３６Ａに表示される。また、ステップＳＴ２６において判定が否定された場合、本ステップＳＴ３８の処理が実行されることで、副走査方向判定処理での判定結果が誤っていることが特定可能な情報がディスプレイ３６Ａに表示される。また、ステップＳＴ３２において判定が否定された場合、本ステップＳＴ３８の処理が実行されることで、色見本表種類判定処理での判定結果が誤っていることが特定可能な情報がディスプレイ３６Ａに表示される。
【０１４９】
図１８Ｂに示すステップＳＴ４０で、変更部３０Ａ３は、全種類の色見本表、すなわち、第１〜第６の色見本表Ｐ１〜Ｐ６に対して測色済みか否かを判定する。第１〜第６の色見本表Ｐ１〜Ｐ６に対して測色済みか否かは、例えば、第１〜第６の色見本表Ｐ１〜Ｐ６の各々についての測色時系列情報が、ステップＳＴ３６の処理が実行されることで記憶装置３８に記憶されたか否かによって判定される。測色時系列情報が第１〜第６の色見本表Ｐ１〜Ｐ６の何れに対応する測色時系列情報なのかは、判定結果情報から特定される。
【０１５０】
ステップＳＴ４０において、第１〜第６の色見本表Ｐ１〜Ｐ６に対して測色済みでない場合は、判定が否定されて、色変換プロファイル作成処理はステップＳＴ５０へ移行する。ステップＳＴ４０において、第１〜第６の色見本表Ｐ１〜Ｐ６に対して測色済みの場合は、判定が肯定されて、色変換プロファイル作成処理はステップＳＴ４２へ移行する
【０１５１】
ステップＳＴ４２で、変更部３０Ａ３は、記憶装置３８に記憶された順に記憶装置３８から測色時系列情報を取得し、受付デバイス３６Ｂから向き順序指定情報を取得する。そして、変更部３０Ａ３は、判定結果情報及び向き順序指定情報を用いて、測色時系列情報から特定される色見本表Ｐの向き及び順序が指定通りか否かを判定する。ステップＳＴ４２において、測色時系列情報から特定される色見本表Ｐの向き及び順序が指定通りでない場合は、判定が否定されて、色変換プロファイル作成処理はステップＳＴ４６へ移行する。ステップＳＴ４２において、測色時系列情報から特定される色見本表Ｐの向き及び順序が指定通りの場合は、判定が肯定されて、色変換プロファイル作成処理はステップＳＴ４４へ移行する。
【０１５２】
ステップＳＴ４６で、変更部３０Ａ３は、判定結果情報及び向き順序指定情報を用いて、測色時系列情報から特定される色見本表Ｐが向き順序指定情報により指定された向き及び指定された順序になるように測色時系列情報を変更し、その後、色変換プロファイル作成処理はステップＳＴ４４へ移行する。本ステップＳＴ４６において、測色時系列情報が変更されることにより、測色時系列情報から特定される各色見本表Ｐがユーザによって指定された向き及び順序に並び替えられる。
【０１５３】
ステップＳＴ４４で、作成部３０Ａ４は、記憶装置３８から色見本表データ３８Ａ１〜３８Ａ６を取得し、その後、色変換プロファイル作成処理はステップＳＴ４８へ移行する。
【０１５４】
ステップＳＴ４８で、作成部３０Ａ４は、判定結果情報を用いて、色見本表データ３８Ａに対して、対応する測色時系列情報を対応付けて色変換プロファイルを作成し、その後、色変換プロファイル作成処理はステップＳＴ５０へ移行する。
【０１５５】
ステップＳＴ５０で、作成部３０Ａ４は、色変換プロファイル作成処理を終了する条件（以下、「作成処理終了条件」と称する）を満足したか否かを判定する。作成処理終了条件の一例としては、色変換プロファイル作成処理を終了する指示が受付デバイス３６Ｂによって受け付けられた、との条件が挙げられる。ステップＳＴ５０において、作成処理終了条件を満足していない場合は、判定が否定されて、色変換プロファイル作成処理は、図１８Ａに示すステップＳＴ１０へ移行する。ステップＳＴ５０において、作成処理終了条件を満足した場合は、判定が肯定されて、色変換プロファイル作成処理が終了する。
【０１５６】
以上説明したように、画像処理装置１２では、対応付け情報３８Ｂと色見本表Ｐでの一対の色見本の各々について受付部３０Ａ１により受け付けられた測色情報とを用いて、測色器１４による測色対象とされた色見本表Ｐの属性が判定部３０Ａ２によって判定される。すなわち、測色器１４による測色対象とされた色見本表Ｐについて、色見本表Ｐの向き、副走査方向の測色方向、及び色見本表Ｐの種類が判定部３０Ａ２によって判定される。従って、色見本表Ｐに対する測色の誤りが回避される。
【０１５７】
なお、上記実施形態では、色見本表Ｐの種類を６種類としたが、色見本表Ｐの種類は、６種類未満であってもよいし、７種類以上であってもよい。また、上記実施形態では、色見本表Ｐの行数及び列数として６行７列を例示しているが、これはあくまでも一例に過ぎず、行数及び列数はこれに限定されない。
【０１５８】
また、上記実施形態では、第１〜第６の色見本表Ｐ１〜Ｐ６の各々についての測色時系列情報が記憶装置３８に記憶される形態例を挙げて説明したが、本開示の技術はこれに限定されない。例えば、変更部３０Ａ３によって、指定された順序の変更が行われる場合、少なくとも２種類の色見本表Ｐに対応する測色時系列情報が記憶装置３８に記憶されていればよい。
【０１５９】
また、上記実施形態では、一対の色見本が色見本表Ｐの一辺の一端の隅と他端の隅、すなわち、隣り合う２隅に配置されている形態例を挙げて説明したが、本開示の技術はこれに限定されない。例えば、図３に示す２隅とは異なる２隅に一対の色見本が配置されるようにしてもよい。図３に示す２隅とは異なる２隅の一例としては、色見本表Ｐにおける対角の２隅、つまり、隣り合わない２隅が挙げられる。
【０１６０】
また、上記実施形態では、一対の色見本の階調値を１００％とした場合について説明したが、本開示の技術はこれに限定されない。一対の色見本の階調値は、既定の階調値であればよい。なお、一対の色見本は同一色の色見本又は類似色の色見本でなく、例えば、視覚的に区別可能に色相が離れた色を一対の色見本の色として用いる。例えば、上記実施形態では、色の原色から選択された互いに異なる色を一対の色見本の色として採用したが、光の原色（Ｒ，Ｇ，Ｂ）から選択された互いに異なる色を一対の色見本の色として採用するようにしてもよい。
【０１６１】
また、上記実施形態では、判定部３０Ａ２での判定結果を色変換プロファイルの作成に供する形態例を挙げて説明したが、本開示の技術はこれに限定されない。例えば、判定部３０Ａ２での判定結果がディスプレイ３６Ａに表示されるようにしてもよいし、記憶装置３８に記憶されるようにしてもよい。また、判定部３０Ａ２での判定結果が外部Ｉ／Ｆ４２を介して外部装置に出力されるようにしてもよい。また、変更部３０Ａ３によって変更された測色時系列情報、又は変更部３０Ａ３によって変更されなかった測色時系列情報に基づいて生成された色見本表Ｐがプリンタ等の画像形成装置によって形成されるようにしてもよい。また、変更部３０Ａ３によって変更された測色時系列情報、又は変更部３０Ａ３によって変更されなかった測色時系列情報が記憶装置３８に記憶されるようにしてもよいし、外部Ｉ／Ｆ４２を介して外部装置に出力されるようにしてもよい。
【０１６２】
また、上記実施形態では、ＲＯＭ３０Ｂに色変換プロファイル作成プログラム３０Ｂ１が記憶されている形態例を挙げて説明したが、本開示の技術はこれに限定されない。例えば、図１７に示すように、色変換プロファイル作成プログラム３０Ｂ１を記憶媒体６００に記憶させておいてもよい。この場合、記憶媒体６００に記憶されている色変換プロファイル作成プログラム３０Ｂ１は、コンピュータ３０にインストールされ、ＣＰＵ３０Ａは、色変換プロファイル作成プログラム３０Ｂ１に従って、上述した色変換プロファイル作成処理を実行する。
【０１６３】
上記実施形態で示す例では、ＣＰＵ３０Ａは、単数のＣＰＵであるが、本開示の技術はこれに限定されず、複数のＣＰＵを採用してもよいし、ＧＰＵを採用してもよいし、少なくとも１つのＣＰＵと少なくとも１つのＧＰＵとを併用してもよい。なお、記憶媒体６００の一例としては、ＣＤ−ＲＯＭ、ＤＶＤ−ＲＯＭ、ＳＳＤ又はＵＳＢメモリなどの任意の可搬型の記憶媒体が挙げられる。
【０１６４】
また、通信網（図示省略）を介してコンピュータ３０に接続される他のコンピュータ又はサーバ装置等の記憶部に色変換プロファイル作成プログラム３０Ｂ１を記憶させておき、上述の画像処理装置１２の要求に応じて色変換プロファイル作成プログラム３０Ｂ１がコンピュータ３０にダウンロードされるようにしてもよい。この場合、ダウンロードされた色変換プロファイル作成プログラム３０Ｂ１がコンピュータ３０にインストールされ、コンピュータ３０のＣＰＵ３０Ａによって実行される。
【０１６５】
また、上記実施形態では、受付部３０Ａ１、判定部３０Ａ２、変更部３０Ａ３、作成部３０Ａ４、及び報知部３０Ａ５（以下、「上記実施形態で説明した各部」と称する）として、コンピュータ３０によるソフトウェア構成により実現される形態例を挙げて説明したが、本開示の技術はこれに限定されない。例えば、上記実施形態で説明した各部は、例えば、ＡＳＩＣ、ＦＰＧＡ、及びＰＬＤのうちの少なくとも１つを含むデバイスによって実現されるようにしてもよい。また、上記実施形態で説明した各部は、ハードウェア構成及びソフトウェア構成の組み合わせによって実現されてもよい。
【０１６６】
上記の色変換プロファイル作成処理を実行するハードウェア資源としては、次に示す各種のプロセッサを用いることができる。プロセッサとしては、例えば、上述したように、ソフトウェア、すなわち、プログラムを実行することで、色変換プロファイル作成処理を実行するハードウェア資源として機能する汎用的なプロセッサであるＣＰＵが挙げられる。また、プロセッサとしては、例えば、ＦＰＧＡ、ＰＬＤ、又はＡＳＩＣなどの特定の処理を実行させるために専用に設計された回路構成を有するプロセッサである専用電気回路が挙げられる。
【０１６７】
色変換プロファイル作成処理を実行するハードウェア資源は、これらの各種のプロセッサのうちの１つで構成されてもよいし、同種または異種の２つ以上のプロセッサの組み合わせ（例えば、複数のＦＰＧＡの組み合わせ、又はＣＰＵとＦＰＧＡとの組み合わせ）で構成されてもよい。また、色変換プロファイル作成処理を実行するハードウェア資源は１つのプロセッサであってもよい。
【０１６８】
１つのプロセッサで構成する例としては、第１に、クライアント及びサーバなどのコンピュータに代表されるように、１つ以上のＣＰＵとソフトウェアの組み合わせで１つのプロセッサを構成し、このプロセッサが、上記実施形態で説明した各部の処理を実行するハードウェア資源として機能する形態がある。第２に、ＳｏＣなどに代表されるように、色変換プロファイル作成処理を実行する複数のハードウェア資源を含むシステム全体の機能を１つのＩＣチップで実現するプロセッサを使用する形態がある。このように、上記実施形態で説明した各部の処理は、ハードウェア資源として、上記各種のプロセッサの１つ以上を用いて実現される。
【０１６９】
更に、これらの各種のプロセッサのハードウェア的な構造としては、より具体的には、半導体素子などの回路素子を組み合わせた電気回路を用いることができる。
【０１７０】
また、上記の色変換プロファイル作成処理はあくまでも一例である。従って、主旨を逸脱しない範囲内において不要なステップを削除したり、新たなステップを追加したり、処理順序を入れ替えたりしてもよいことは言うまでもない。
【０１７１】
以上に示した記載内容及び図示内容は、本開示の技術に係る部分についての詳細な説明であり、本開示の技術の一例に過ぎない。例えば、上記の構成、機能、作用、及び効果に関する説明は、本開示の技術に係る部分の構成、機能、作用、及び効果の一例に関する説明である。よって、本開示の技術の主旨を逸脱しない範囲内において、以上に示した記載内容及び図示内容に対して、不要な部分を削除したり、新たな要素を追加したり、置き換えたりしてもよいことは言うまでもない。また、錯綜を回避し、本開示の技術に係る部分の理解を容易にするために、以上に示した記載内容及び図示内容では、本開示の技術の実施を可能にする上で特に説明を要しない技術常識等に関する説明は省略されている。
【０１７２】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【符号の説明】
【０１７３】
１２  画像処理装置
１４  測色器
３０  コンピュータ
３０Ａ１  受付部
３０Ａ２  判定部
３０Ａ３  変更部
３０Ａ４  作成部
３０Ａ５  報知部
３８  記憶装置
３８Ｂ  対応付け情報
Ｐ  色見本表
Ｐ１  第１の色見本表
Ｐ２  第２の色見本表
Ｐ３  第３の色見本表
Ｐ４  第４の色見本表
Ｐ５  第５の色見本表
Ｐ６  第６の色見本表
【図１】
2020156030.tif 000003
【図２】
2020156030.tif 000004
【図３】
2020156030.tif 000005
【図４】
2020156030.tif 000006
【図５】
2020156030.tif 000007
【図６】
2020156030.tif 000008
【図７】
2020156030.tif 000009
【図８】
2020156030.tif 000010
【図９】
2020156030.tif 000011
【図１０】
2020156030.tif 000012
【図１１】
2020156030.tif 000013
【図１２】
2020156030.tif 000014
【図１３】
2020156030.tif 000015
【図１４】
2020156030.tif 000016
【図１５】
2020156030.tif 000017
【図１６】
2020156030.tif 000018
【図１７】
2020156030.tif 000019
【図１８Ａ】
2020156030.tif 000020
【図１８Ｂ】
2020156030.tif 000021
【図１９】
2020156030.tif 000022